(57)【特許請求の範囲】
【請求項１】
インキ往復ローラの側部において同ローラの軸のまわりに回動するスイングレバーと、同スイングレバーの一端部において上記ローラ軸と平行かつ回転可能に設けられたピン軸と、同ピン軸にその一端部が接続された接続金具とを備え、同接続金具の他端を動かすことによって、上記ピン軸を介して上記スイングレバーを回動させ、同スイングレバーの他端部に回転可能に支持されたインキ着ローラを、同ローラに対向する版胴に着脱させる印刷機のローラ支持装置において、上記ピン軸に同ピン軸に直交する穴を設け、めねじを有するスリーブを上記穴に回転は出来るが穴中心線方向には移動しないように装着すると共に、上記接続金具の一端部におねじを設けて上記スリーブに螺合させ、さらに上記スリーブに係合するラチェットハンドルを設け、接続金具の他端が静止している状態で、同ラチェットハンドルを操作して上記スリーブを回転させ、ピン軸を接続金具に対して移動させ、上記スイングレバーを回動させ、上記インキ着ローラをその版胴に対する着脱移動範囲を超えて移動させることを特徴とする印刷機のローラ支持装置。
【発明の詳細な説明】
【０００１】
【発明の属する技術分野】
本発明は、印刷機の印刷ユニットに設けられたインキング装置のローラを支持する装置に関するものである。
【０００２】
【従来の技術】
図５は従来の印刷機の印刷ユニットの側面図、図６は上記印刷ユニットの要部平面展開図である。図５において、この装置は主として次の部分からなっている。１はブランケット胴、２は印刷時に前記ブランケット胴に当接する版胴、１０は符号３〜９を付した部分からなるインキング装置、１３は符号１１，１２を付した部分からなる湿し装置、１５および１５’は、それぞれ符号１８〜２３，２８，２９，３０、符号１８’〜２３’，２８’，２９’，３０’を付した部分からなるローラ支持装置、４１は符号２４〜２７を付した部分からなる着脱装置である。なお、５０はこれらのものを支えるフレームである。
【０００３】
前記インキング装置１０において、３および４はインキ着ローラ、５はインキ往復ローラである。インキ着ローラ３，４は印刷時には版胴２とインキ往復ローラ５とにそれぞれ当接する。７もインキ往復ローラ、６および８はインキ練りローラ、９はインキ受渡しローラである。印刷時にはインキ練りローラ６はインキ往復ローラ５及び７に当接し、インキ練りローラ８はインキ往復ローラ７とインキ受渡しローラ９に当接している。
【０００４】
前記湿し装置１３において、１１は水着ローラ、１２は水元ローラである。印刷時には水着ローラ１１は版胴２と水元ローラ１２に当接している。
【０００５】
前記ローラ支持装置１５，１５’は図５と図６に示されている。図６において、１６はフレーム５０に設けられているブッシュ、１７，１７’は偏心ブッシュである。インキ往復ローラ５はブッシュ１６によって回転可能かつ同ローラの軸方向往復移動可能に支持されている。偏心ブッシュ１７，１７’はインキ往復ローラ５とインキ着ローラ３又は４との間の押付圧を調整するためのもので、前記ブッシュ１６に取付けられている。
【０００６】
図５，図６において、１８，１８’はローラ支持装置１５，１５’のスイングレバーであって、前記偏心ブッシュ１７，１７’を介してブッシュ１６に取付けられている。３０，３０’は同スイングレバー１８，１８’のキャップ、１９，１９’はスイングレバー１８，１８’に固設されたピン軸、２０，２０’は同ピン軸１９，１９’にそれぞれ揺動可能に取付けられた接続金具、２４は後述の着脱装置のレバー、２３，２３’は同レバー２４に圧入されたピン、２２，２２’は同ピン２３，２３’に揺動可能に取付けられた接続金具である。２１，２１’はそれぞれ接続金具２０と２２の間、および２０’と２２’の間に設けられたタンバックル（調整ねじ）、２８，２９，２８’，２９’はタンバックルのナットである。ローラ支持装置１５，１５’は上記の部材１８〜２３，２８，２９，３０、１８’〜２３’，２８’，２９’，３０’から構成されている。
【０００７】
上記ローラ支持装置は版胴２とインキ往復ローラ５とに当接するインキ着ローラ３と４に対するものである。インキ往復ローラ５とインキ往復ローラ７とに当接するインキ練りローラ６と８に対するローラ支持装置も前記のものとほぼ同じ構成であるから説明は省略する。
【０００８】
図５の着脱装置４１（符号２４〜２７）において、２５は両側のフレーム５０に回動可能に支持された軸、２４は同軸２５に固設された着脱装置４１のレバー、２７はフレーム５０に取付けられているエアシリンダ、２６は同エアシリンダ２７と前記の軸２５の間に設けられているリンクである。これによってエアシリンダ２７の作動によって軸２５が回動する。軸２５が回動することによってインキ着ローラ３と４が図５において実線で示した着位置から一点鎖線で示した脱位置に、又はその逆に移動する。インキ着ローラ３では着位置をＸ、脱位置をＹで図示してある。
【０００９】
本装置において、版胴２とインキ着ローラ３又は４との間の押付圧を調整するには、レバー２４を移動し、インキ着ローラ３又は４を着位置（版胴２とインキ往復ローラ５とに接触する位置）に置き、ナット２８，２９，２８’，２９’を弛めてタンバックル２１，２１’をまわし、ピン軸１９，１９’とピン２３，２３’との間の距離を変えることによって行う。この距離が変ると、スイングレバー１８，１８’は回動し、版胴２とインキ着ローラ３又は４との間の押付圧が変化する。
【００１０】
インキ着ローラ３又は４を取出す時は、エアシリンダ２７を作動させてレバー２４のピン２３，２３’を脱位置に置くと、スイングレバー１８，１８’が回動し、インキ着ローラは図５において一点鎖線で示した位置に移動する。この位置でスイングレバー１８，１８’のキャップ３０，３０’を開きインキ着ローラを取外して印刷ユニット外に取出す。
【００１１】
【発明が解決しようとする課題】
図５でインキ着ローラ３又は４と版胴２との間の押付圧の調整およびインキ着ローラ４の取外しはフレーム５０の外側面から容易に行うことができるが、インキ着ローラ３の取外しは面倒である。先ず、インキ練りローラ６を取除く。ついで、インキ往復ローラ５と７との間から手を入れ脱位置にあるインキ着ローラ３を支持しているスイングレバー１８のキャップ３０を締付ボルトを取外し開くと、このキャップ３０に固設されたストッパ１４がスイングレバー１８に当りキャップ３０は傾いて止まる。この傾いた姿勢のキャップ３０の内面にインキ着ローラ３が保持される。よって手をインキ往復ローラ５と７の間より入れインキ着ローラ３の両軸端を持上げつつ、インキ往復ローラ５と７の間より外に取り出す。このようにインキ着ローラ３の取外し（取付けも同様）には手数と労力を要し、また、図５のようにインキ往復ローラ５があるのでフレームの外側面よりインキ着ローラ３が見にくいため、取外しは手探りに近い状態にて行うに等しく危険である。特に印刷ユニットの下部にある版胴２のインキ着ローラ３を取外すには、腰を屈めて行わねばならないのでなおさら大変である。
【００１２】
本発明は取出し困難な位置にある前記インキ着ローラを安全、容易に取外すことの出来るローラ支持装置を提案するものである。
【００１３】
【課題を解決するための手段】
本発明は上記課題を解決したものであって、インキ往復ローラの側部において同ローラの軸のまわりに回動するスイングレバーと、同スイングレバーの一端部において上記ローラ軸と平行かつ回転可能に設けられたピン軸と、同ピン軸にその一端部が接続された接続金具とを備え、同接続金具の他端を動かすことによって、上記ピン軸を介して上記スイングレバーを回動させ、同スイングレバーの他端部に回転可能に支持されたインキ着ローラを、同ローラに対向する版胴に着脱させる印刷機のローラ支持装置において、上記ピン軸に同ピン軸に直交する穴を設け、めねじを有するスリーブを上記穴に回転は出来るが穴中心線方向には移動しないように装着すると共に、上記接続金具の一端部におねじを設けて上記スリーブに螺合させ、さらに上記スリーブに係合するラチェットハンドルを設け、接続金具の他端が静止している状態で、同ラチェットハンドルを操作して上記スリーブを回転させ、ピン軸を接続金具に対して移動させ、上記スイングレバーを回動させ、上記インキ着ローラをその版胴に対する着脱移動範囲を超えて移動させることを特徴とする印刷機のローラ支持装置に関するものである。
【００１４】
【発明の実施の形態】
図１は本発明の実施の一形態に係る印刷機の印刷ユニットの側面図、図２は同印刷ユニットのローラ支持装置を示す平面展開図。図３は同印刷ユニットの着脱装置を示す平面図。図４は同印刷ユニットのローラ支持装置における係合状態を示す詳細図であり、同図（ａ）は図２のＡ部拡大図、同図（ｂ）は同図（ａ）のＢ部拡大図である。これらの図において、３１は本実施形態のローラ支持装置であり、符号３２〜４０を付した部分から構成されている。これは、従来のローラ支持装置１５および１５’のうちの符号１５を付したローラ支持装置に替えて設けられたものである。符号１５’を付したローラ支持装置の構成および作用は従来と同じである。また上記以外の部分の構成および作用も従来と同じであるから説明は省略する。
【００１５】
ローラ支持装置３１には、図１，図２および図４に示すように、スイングレバー３８、同スイングレバーに回動し得るように取付けられたピン軸３２、同ピン軸３２の頭部において同ピン軸に直交する穴３２ｐ、同穴３２ｐに回動可能かつその穴中心線方向には移動しないように（抜けないように）嵌入されているスリーブ３３、同スリーブ３３のめねじ部に螺合するねじ軸３４、前記スリーブ３３の角軸部３３ｐに回転しないように、かつスリーブ３３の軸方向には移動しないように嵌入されているラチェットハンドル３５、スイングレバー３８の穴に嵌入されている軸３２ｑに固定されているブラケット３６、同ブラケット３６の軸３７に手動にて回動するように取付けられたホルダ３９、スリーブ３３の下部先端に設けられたストッパ４０、ねじ軸３４に例えば左ねじにて連結するタンバックル２１、および同タンバックル２１に例えば右ねじにて連結する連続金具２２が設けられている。ねじ軸３４は、従来設けられていた接続金具２０を若干延長しそのピン軸側端部の大部分におねじを設けたものである。接続金具２２は、インキ着ローラ４のローラ支持装置１５’の接続金具２２’と共に、図３の着脱装置４１のレバー２４に圧入されたピン２３，２３’に揺動可能に取付けられている。
【００１６】
図３でレバー２４、は両フレーム５０に回動可能に支持された軸２５に固設され、エアシリンダ２７の作動によってリンク２６を介して回動する軸２５にて回動し、インキ着ローラ３と４を図１に実線にて示す着位置より、一点鎖線にて示す脱位置に、又はその逆に移動させる。
【００１７】
上記構造により版胴２とインキ着ローラ３との間の押付圧を調整するには、タンバックル２１のナット２８と２９を弛め、タンバックル２１をまわし、ピン軸３２とインキ着ローラ３を着位置（版胴２とインキ往復ローラ５とにインキ着ローラ３が接触する位置）に置くために移動したレバー２４のピン２３との間の距離を変えて行う。この距離が変ると、スイングレバー３８は偏心ブッシュ１７のまわりを回動し、版胴２とインキ着ローラ３との間の押付圧が変化する。
【００１８】
次に、インキ着ローラ３を取出す時はレバー２４のピン２３をエアシリンダ２７にて脱位置に置くと版胴２と当接して着位置（図１のＸ）にあるインキ着ローラ３は図１の一点鎖線にて示す脱位置（図１のＹ）に移動し版胴２より離れる。この脱位置でラチェットハンドル３５を往復回動すると、スリーブ３３がラチェットハンドル３５の爪（図示せず）位置にてきまる回転方向に常に回転し、ピン軸３２がほぼこのねじ軸３４の軸方向に移動し、ピン軸３２とピン２３との間の距離を縮小する。よってスイングレバー３８は偏心ブッシュ１７のまわりを大きく回動し、前記脱位置（図１のＹ）よりインキ着ローラ３を支持したままインキ着ローラ３を取出し易い位置、図１ではインキ往復ローラ５と７の間に設定され事前に取外されているインキ練りローラ６の位置（図１のＺ）まで回動する。
【００１９】
この回動位置にてスイングレバー３８のキャップ３０を開くと同キャップ３０のストッパ１４にて止まる位置までキャップ３０が傾き、インキ着ローラ３はこの傾いた内面に支持される位置まで移動して停止する。この移動したインキ着ローラ３を手にて持ち上げて取り出す。前記回動位置はねじ軸３４の先端がストッパ４０に当ることにより規正される。尚ラチェットハンドル３５は使用時以外はホルダ３９の保持ばねにて挟まれており回動しない。使用時には手動にてホルダ３９の保持ばねを開き右方に押すと、ピン３７を中心にホルダ３９が回転しラチェットハンドル３５より外れる。インキ着ローラ３を取付ける時は前記回動位置にてスイングレバー３８に取付け、キャップ３０を閉じ、前記取外し時と同様な方法でスイングレバー３８を回動させ、インキ着ローラ３を脱位置に渡す。この脱位置はスリーブ３３とねじ軸３４との関係位置（予め設置されている）にてきまる。
【００２０】
【発明の効果】
本発明のローラ支持装置においては、ピン軸に同ピン軸に直交する穴を設け、めねじを有するスリーブを上記穴に回転は出来るが穴中心線方向には移動しないように装着すると共に、接続金具の一端部におねじを設けて上記スリーブに螺合させ、さらに上記スリーブに係合するラチェットハンドルを設け、接続金具の他端が静止している状態で、同ラチェットハンドルを操作して上記スリーブを回転させ、ピン軸を接続金具に対して移動させ、上記スイングレバーを回動させ、上記インキ着ローラをその版胴に対する着脱移動範囲を超えて移動させるので、インキ着ローラの取付け、取外しを安全かつ容易に行える位置まで移動させることができ、作業者を従来のような危険で面倒な作業より開放することができる。
【図面の簡単な説明】
【図１】本発明の実施の一形態に係る印刷機の印刷ユニットの側面図。
【図２】同印刷ユニットのローラ支持装置を示す平面展開図。
【図３】同印刷ユニットの着脱装置を示す平面図。
【図４】同印刷ユニットのローラ支持装置における係合状態を示す詳細図であり、同図（ａ）は図２のＡ部拡大図、同図（ｂ）は同図（ａ）のＢ部拡大図である。
【図５】従来の印刷機の印刷ユニットの要部側面図。
【図６】上記印刷ユニットの要部平面展開図。
【符号の説明】
１              ブランケット胴
２              版胴
３，４          インキ着ローラ
５，７          インキ往復ローラ
６，８          インキ練りローラ
９              インキ受渡しローラ
１０            インキング装置
１１            水着ローラ
１２            水元ローラ
１３            湿し装置
１４            ストッパ
１５，１５’    ローラ支持装置
１６            ブッシュ
１７，１７’    偏心ブッシュ
１８，１８’    スイングレバー
１９，１９’    ピン軸
２０，２０’    接続金具
２１，２１’    タンバックル
２２，２２’    接続金具
２３，２３’    ピン
２４            レバー
２５            軸
２６            リンク
２７            エアシリンダ
２８，２９      ナット
３０，３０’    キャップ
３１            ローラ支持装置
３２            ピン軸
３３            スリーブ
３４            ねじ軸
３５            ラチェットハンドル
３６            ブラケット
３７            軸
３８            スイングレバー
３９            ホルダ
４０            ストッパ
４１            着脱装置
５０            フレーム
【図１】
0003631823.tif 000002
【図２】
0003631823.tif 000003
【図３】
0003631823.tif 000004
【図４】
0003631823.tif 000005
【図５】
0003631823.tif 000006
【図６】
0003631823.tif 000007